(57)【要約】【課題】本発明は、溶解力が高く、安全性に優れ、芳香族臭が少なく、高沸点であり、かつ、溶剤として好適な低粘度の炭化水素系の溶剤を提供することを課題としている。【解決手段】本発明の炭化水素系溶剤組成物は、芳香族化合物を９０質量％以上含有する溶剤組成物であって、アリール基を有する分子量２２４の化合物の含有量が５質量％以上、アリール基を有する分子量２１０の化合物の含有量が３５質量％以下、アルキルナフタレンの含有量が５０質量％以下であることを特徴としている。このような本発明の炭化水素系溶剤組成物は、１０％留出温度が２８５℃以上であり、９０％留出温度が３２０℃以下であることが好ましい。【選択図】なし【特許請求の範囲】
【請求項１】
芳香族化合物を９０質量％以上含有する溶剤組成物であって、
アリール基を有する分子量２２４の化合物の含有量が５質量％以上、アリール基を有する分子量２１０の化合物の含有量が３５質量％以下、アルキルナフタレンの含有量が５０質量％以下であることを特徴とする炭化水素系溶剤組成物。
【請求項２】
１０％留出温度が２８５℃以上であり、９０％留出温度が３２０℃以下であることを特徴とする請求項１に記載の炭化水素系溶剤組成物。
【請求項３】
フェナントレン含有量が１．０質量％以下であり、ナフタレン含有量が０．１質量％以下であることを特徴とする請求項１または２に記載の炭化水素系溶剤組成物。
【請求項４】
混合アニリン点が１４℃以下であることを特徴とする請求項１〜３のいずれかに記載の炭化水素系溶剤組成物。
【発明の詳細な説明】
【技術分野】
【０００１】
本発明は炭化水素系の溶剤組成物に関する。詳しくは、本発明は、高沸点の芳香族系炭化水素を含み、安全性に優れる炭化水素系溶剤組成物に関する。
【背景技術】
【０００２】
一般に炭化水素系の溶剤は、インキ組成物、塗料組成物、樹脂組成物などの成分として、また各種溶剤あるいは希釈剤などとして用いられている。
これらの炭化水素系溶剤には、より高い安全性が望まれており、製造工程における取り扱いや自然界へ散布または噴霧して用いること等を考慮すると、ナフタレン、フェナントレン等人体に影響を及ぼすと考えられる芳香族炭化水素を実質的に含まず、かつ揮発性が低く、低臭気であり、環境への負荷が低い炭化水素溶剤であることが望ましい。
【０００３】
安全性の高い溶剤としては、炭化水素系溶剤のなかでも高沸点のものが挙げられる。高沸点の炭化水素系溶剤は、圧力を加えることにより複写記録を得る記録材料、すなわち感圧複写材料への使用や、農薬、防蟻、防腐および除草の分野における有害生物防除剤組成物などへの利用が知られている（特許文献1、２参照）。
【０００４】
また、炭化水素系溶剤は、感圧紙の分野における発色剤、あるいは有害生物防除剤の分野における薬剤原体と共に用いられるが、従来の溶剤では溶解力が低く、芳香族臭を有することが難点である。特許文献２では香料を添加することで芳香族臭を抑えているが、抜本的な臭気の解決策とはなっていない。
【０００５】
炭化水素系溶剤の臭気を低減する方法としては、臭気がオレフィン類や酸化劣化物などの不純物に起因する場合には、水素化精製、白土処理、酸アルカリ処理などを行うことが考えられる。しかしながら、これらの方法によっても、芳香族特有の臭気の除去は困難である。また、高沸点の炭化水素は、粘度が高く溶剤として使用しにくいという問題がある。
【特許文献１】特開平０９−１５７１８９号公報
【特許文献２】特開平１０−１３０６２０号公報
【発明の開示】
【発明が解決しようとする課題】
【０００６】
本発明は、溶解力が高く、安全性に優れ、芳香族臭が少なく、高沸点であり、かつ、溶剤として好適な低粘度の炭化水素系の溶剤を提供することを課題としている。
【課題を解決するための手段】
【０００７】
本発明者はこのような状況に鑑みて鋭意研究した結果、特定分子量の芳香族化合物を含む高沸点の炭化水素系組成物が、上記課題を解決し得ることを見出して本発明を完成するに至った。
【０００８】
すなわち、本発明の炭化水素系溶剤組成物は、芳香族化合物を９０質量％以上含有する溶剤組成物であって、
アリール基を有する分子量２２４の化合物の含有量が５質量％以上、アリール基を有する分子量２１０の化合物の含有量が３５質量％以下、アルキルナフタレンの含有量が５０質量％以下であることを特徴としている。
【０００９】
このような本発明の炭化水素系溶剤組成物は、１０％留出温度が２８５℃以上であり、
９０％留出温度が３２０℃以下であることが好ましい。
本発明の炭化水素系溶剤組成物は、フェナントレン含有量が１．０質量％以下であり、ナフタレン含有量が０．１質量％以下であることが好ましい。
【００１０】
本発明の炭化水素系溶剤組成物は、混合アニリン点が１４℃以下であることが好ましい。
【発明の効果】
【００１１】
本発明によれば、ナフタレン、フェナントレンなどの人体への影響が懸念される芳香族化合物含有量が少なく安全性に優れ、揮発性が低く、低臭気であって環境への負荷が小さく、しかも粘度が低く、着色が少なく、溶解性に優れた炭化水素系溶剤組成物を提供することができる。本発明の炭化水素系溶剤組成物は、農薬、粘着剤、接着剤、インキ、塗料、感圧複写材料の染料、反応溶媒、ゴム、洗浄剤、樹脂等の各種分野に幅広く使用できる。
【発明を実施するための最良の形態】
【００１２】
以下、本発明について具体的に説明する。
本発明の炭化水素系溶剤組成物は、芳香族化合物を９０質量％以上、好ましくは９５質量％以上、より好ましくは９７質量％以上含有する芳香族炭化水素を主成分とする溶剤組成物であって、アリール基を有する分子量２２４の化合物の含有量が５質量％以上、アリール基を有する分子量２１０の化合物の含有量が３５質量％以下、アルキルナフタレンの含有量が５０質量％以下である。
【００１３】
アリール基としては、フェニル基、ベンジル基、トリル基、キシリル基等が好ましい。アリール基を有する分子量２２４の化合物（Ｍ２２４）およびアリール基を有する分子量２１０の化合物（Ｍ２１０）としては、ベンゼン環を２個有する化合物が好適である。具体的には、アリール基を有する分子量２２４の化合物（Ｍ２２４）としては、芳香族環を構成する以外の炭素数の合計が５のアルキルビフェニル類やアルキルジフェニルアルカン類が好ましく、また、アリール基を有する分子量２１０の化合物（Ｍ２１０）としては、芳香族環を構成する以外の炭素数の合計が４のアルキルビフェニル類やアルキルジフェニルアルカン類が好ましい。また、アルキルナフタレンはナフタレンの１つ以上の水素元素がアルキル基で置換された化合物である。
【００１４】
本発明の炭化水素系溶剤組成物中において、アリール基を有する分子量２２４の化合物（Ｍ２２４）の含有量は５質量％以上、好ましくは１０〜６０質量％、より好ましくは２５〜５０質量％であり、また、アリール基を有する分子量２１０の化合物（Ｍ２１０）の含有量は３５質量％以下、好ましくは３３質量％以下である。さらに、アルキルナフタレンの含有量は５０質量％以下、好ましくは３５質量％以下である。Ｍ２２４が５質量％未満である場合、Ｍ２１０の含有量が３５質量％を超える場合、およびアルキルナフタレンが５０質量％を超える場合には、芳香族臭または不快臭等が強くなるため好ましくない。
【００１５】
高分子量あるいは高沸点の芳香族化合物の含有量が増加すると溶剤の動粘度が高くなったり、混合アニリン点が高くなり溶解性が低下するため好ましくなく、低分子量あるいは低沸点の芳香族化合物が増加すると臭気が増すため、好ましくない。したがって、Ｍ２２４とＭ２１０の合計量が４０〜８０質量％以上、より好ましくは５０〜７５質量％であることが望ましい。
【００１６】
尚、分子量の測定はガスクロマトグラフ質量分析計（ＧＣ／ＭＳ）で、また、その含有量はＦＩＤ検出器を用いて測定することができる。
本発明の炭化水素系溶剤組成物は、蒸留性状における１０％留出温度が２８５℃以上、
好ましくは２９０℃以上であり、９０％留出温度が３２０℃以下、好ましくは９０％留出温度を３１５℃以下であることが望ましい。１０％留出温度が２８５℃未満では芳香族臭の臭気が強くなるため好ましくない。また、９０％留出温度が３２０℃を超えると、溶剤の動粘度が高く、溶解性が低下して溶剤としての用途が限定される場合があるほか、フェナントレン含有量が１．０質量％を超える場合があるため好ましくない。フェナントレンは、環境の保全上の支障を未然に防止することを目的とした特定化学物質の環境への排出量の把握等及び管理の改善の促進に関する法律（ＰＲＴＲ法）で規制されるため、炭化水素系溶剤組成物中のフェナントレンの含有量は１．０質量％以下、より好ましくは０．５質量％以下、特には０．１質量％以下とすることが望ましい。このため本発明の炭化水素系溶剤組成物は、沸点が３３０℃以上の成分を実質的に含まないことがより好ましく、蒸留終点温度が好ましくは３３０℃以下、より好ましくは３２５℃以下であることが望ましい。
【００１７】
また、炭化水素系溶剤組成物がナフタレンを含むと、芳香族臭が強くなるほか、人体への悪影響が懸念されるため好ましくない。本発明の炭化水素系溶剤組成物は、ナフタレンを実質的に含まないことが良いが、含有量として好ましくは０．１質量％以下、より好ましくは０．５質量％以下、特には０．０１質量％以下であることが望ましい。
【００１８】
このため本発明の炭化水素系溶剤組成物は、沸点が２３０℃以下の成分を実質的に含まないことがより好ましく、初留温度が好ましくは２３０℃以上、より好ましくは２５０℃以上であることが望ましい。このような炭化水素系溶剤組成物では、ナフタレンのほか、ベンゼン、トルエン、キシレン、１，３，５−トリメチルベンゼンなどについても実質的に含有しないため、人体への悪影響の懸念が少なく好適である。尚、蒸留性状はＪＩＳ  Ｋ２２５４に規定の方法で測定される値である。
【００１９】
炭化水素系溶剤組成物中の硫黄分及び窒素分は、環境への負荷低減の意味から出来るだけ低いほど好ましく、１０質量ｐｐｍ以下、好ましくは５質量ｐｐｍ以下、特には１質量ｐｐｍ以下である。尚、硫黄分はＪＩＳ  Ｋ２５４１、窒素分はＪＩＳ  Ｋ２６０９に規定の方法で測定される値である。
【００２０】
炭化水素系溶剤組成物の混合アニリン点は、溶解性の指標となり、低ければ低いほど好ましいが、溶解性の観点から１４℃以下、好ましくは１３℃以下、より好ましくは１２〜１３℃の範囲である。尚、混合アニリン点はＪＩＳ  Ｋ２２５６に規定の方法で測定される値である。
【００２１】
セーボルト色は特に限定されるものではないが、好ましくは＋１以上、より好ましくは＋１０以上、特には＋２０以上である。溶剤としての使用の際には無色透明に近い方が好まれるため望ましい。尚、セーボルト色はＪＩＳ  Ｋ２５８０に規定の方法で測定される値である。
【００２２】
本発明の炭化水素系溶剤組成物の引火点は、通常１３０℃以上、好ましくは１４０℃以上であることが好ましい。引火点が１３０℃以上であれば、揮発性が低く、環境への負荷が低く、また、取り扱いが容易であり安全性が高いため好ましい。尚、引火点はＪＩＳ  Ｋ２２６５に規定の方法で測定される値である。
【００２３】
動粘度は、溶剤組成物の用途にもよるが、３０℃において５．０〜１３．０ｍｍ2／ｓ
以下、好ましくは６．０〜１２．０ｍｍ2／ｓ以下であることが好ましい。尚、動粘度は
ＪＩＳ  Ｋ２２８３に規定の方法で測定される値である。
【００２４】
本発明の炭化水素系溶剤組成物の原料には、たとえば、石油精製における水素化分解、
熱分解、接触分解装置から留出するナフサ留分や、直留ナフサを原料とした接触改質反応によって得られる接触改質留分を使用することができる。これらの原料中の硫黄分や窒素分等の不純物は、前処理装置により水素化処理を行い、あらかじめ除去しておくことが望ましい。これらの原料のうちでは、ナフサを原料とした接触改質反応によって得られる接触改質留分が特に好適に用いられる。
【００２５】
本発明の炭化水素系溶剤組成物の製造方法は、特に限定されるものではないが、接触改質留分などの上記原料を、精密蒸留により分留することにより、本発明の炭化水素系溶剤組成物を簡便に得ることができる。また、本発明の炭化水素系溶剤組成物は、上記原料を分留して得られた留分の２種以上を混合することにより製造することもできる。
【００２６】
特に、上記原料を精密蒸留することにより、１０％留出温度が２８５℃以上、９０％留出温度が３２０℃以下となるようにカットして用いると、各種用途に対応できる炭化水素溶剤組成物を得ることができるため好ましい。
【００２７】
このような本発明の炭化水素系溶剤組成物は、揮発性が低く、低臭気であり、人体への安全性が高い上に、粘度、溶解性にも優れている。本発明の炭化水素系溶剤組成物は、高沸点で安全性が高く、しかも溶解性に優れるため、粘着剤、接着剤、塗料、インキ、電気絶縁油、感圧複写材料の染料、洗浄剤、農薬、反応溶媒、合成樹脂、ゴムからなる群から選択される物質のための溶剤として好適に使用することができる。
【実施例】
【００２８】
以下、実施例に基づいて本発明をさらに具体的に説明するが、本発明はこれらの実施例に限定されるものではない。
［実施例１］
ナフサ留分の接触改質反応によって得られた改質留分を、精密蒸留により、沸点２８８．５〜２９７．０℃の留分に分留し、炭化水素系溶剤組成物を得た。得られた炭化水素溶剤組成物の性状を表１に示す。
【００２９】
なお、分子量の測定は、ガスクロマトグラフ質量分析計（ＧＣ／ＭＳ）（Ｈｅｗｌｅｔｔ Ｐａｃｋａｒｄ社製ＨＰ５９７３Ｎ、無極性カラム、注入口温度２９０℃、初期カラ
ム温度５０℃（保持時間５分）、昇温速度２℃／分、最終カラム温度３００℃（保持時間１０分））で実施し、得られたマススペクトルから化合物を確認して分子量を測定した。また、その含有量はガスクロマトグラフ（ＦＩＤ検出器）を用いて実施した。前記以外の評価試験は以下に示す方法にて行った。
・密度：ＪＩＳ  Ｋ２２４９
・臭気官能試験：臭気官能試験は試料５０ｍｌを１００ｍｌのガラス容器に入れ、男性４名、女性２名にて室温で官能試験を実施し、以下の基準で判定した。
【００３０】
Ａ：芳香族臭または刺激・不快臭を感じない
Ｂ：芳香族臭または刺激・不快臭をやや感じる
Ｃ：芳香族臭または刺激・不快臭を強く感じる
［実施例２〜６、比較例１〜３］
実施例１の蒸留操作において、沸点２９３．５〜３０１．０℃の留分（実施例２）、沸点２９９．０〜３０５．５℃の留分（実施例３）、沸点３０１．０〜３１０．０℃の留分（実施例４）、沸点３０２．５〜３１１．０℃の留分（実施例５）、沸点３０６．０〜３１５．０℃の留分（実施例６）、沸点２５７．０〜２７２．０℃の留分（比較例１）、沸点２７５．０〜２８２．０℃の留分（比較例２）、沸点２８２．５〜２９０．０℃の留分（比較例３）に分取し、実施例１と同様の方法で各性状を測定あるいは評価した。
【００３１】
【表１】
2010042362.tif 000002
【産業上の利用可能性】
【００３２】
本発明の炭化水素系溶剤組成物は、たとえば、粘着剤、接着剤、塗料、インキ、電気絶縁油、感圧複写材料の染料、洗浄剤、農薬、反応溶媒、合成樹脂など各種分野の溶剤として幅広く好適に使用することができる。